(57)【要約】【課題】表示機能を有する電子カメラに関し、表示する内容を撮影者に確実に見せられることができる電子カメラを提供することを目的とする。【解決手段】被写体像を撮像する撮像手段と、撮像中の被写体像を表示する表示手段とが相互に回転可能な電子カメラにおいて、撮像手段と表示手段との位置関係を検出する検出手段を備え、表示手段は、検出手段によって検出される位置関係に応じて、被写体像に対して縮小処理を行うことを特徴とする。【選択図】　　　図３
2004080519.tif 000002
【特許請求の範囲】
【請求項１】
被写体像を撮像する撮像手段と、撮像中の被写体像を表示する表示手段とが相互に回転可能な電子カメラにおいて、
前記撮像手段と前記表示手段との位置関係を検出する検出手段
を備え、
前記表示手段は、
前記検出手段によって検出される前記位置関係に応じて、前記被写体像に対して縮小処理を行う
ことを特徴とする電子カメラ。
【請求項２】
請求項１に記載の電子カメラにおいて、
前記表示手段は、
前記位置関係が対面撮影用の回転を示す場合、前記縮小処理を行う
ことを特徴とする電子カメラ。
【請求項３】
請求項２に記載の電子カメラにおいて、
少なくとも閃光装置を含む撮影補助部材
を備え、
前記表示手段は、
対面撮影に際して前記撮影補助部材によって隠されない表示領域に、前記縮小処理を行った被写体像を表示する
ことを特徴とする電子カメラ。
【請求項４】
請求項１ないし請求項３の何れか１項に記載の電子カメラにおいて、
前記表示手段は、
前記縮小処理に併せて反転処理を行う
ことを特徴とする電子カメラ。
【請求項５】
請求項１に記載の電子カメラにおいて、
前記表示手段は、
撮影時の補助的な指標である撮影情報を更に表示し、前記検出手段によって検出される前記位置関係に応じて、該撮影情報の表示領域を切り換える
ことを特徴とする電子カメラ。
【請求項６】
請求項５に記載の電子カメラにおいて、
少なくとも閃光装置を含む撮影補助部材
を備え、
前記表示手段は、
前記位置関係が対面撮影用の回転を示す場合、前記撮影補助部材によって隠されない表示領域に、前記撮影情報を表示する
ことを特徴とする電子カメラ。
【請求項７】
被写体像を撮像する撮像手段と、撮像中の被写体像を表示する表示手段とが相互に回転可能な電子カメラにおいて、
前記撮像手段と前記表示手段との位置関係を検出する検出手段
を備え、
前記表示手段は、
前記検出手段によって検出される前記位置関係に応じて、前記被写体像の表示領域を縮小する
ことを特徴とする電子カメラ。
【請求項８】
請求項７に記載の電子カメラにおいて、
前記表示手段は、
前記位置関係が対面撮影用の回転を示す場合、前記被写体像の表示領域を縮小する
ことを特徴とする電子カメラ。
【請求項９】
請求項８に記載の電子カメラにおいて、
少なくとも閃光装置を含む撮影補助部材
を備え、
前記表示手段は、
対面撮影に際して前記撮影補助部材によって隠されない表示領域を、前記被写体像を表示するために縮小した表示領域とする
ことを特徴とする電子カメラ。
【請求項１０】
請求項７ないし請求項９の何れか１項に記載の電子カメラにおいて、
前記表示手段は、
前記被写体像の表示領域の縮小に併せて、該被写体像に対して反転処理を行う
ことを特徴とする電子カメラ。
【請求項１１】
請求項７に記載の電子カメラにおいて、
前記表示手段は、
撮影時の補助的な指標である撮影情報を更に表示し、前記検出手段によって検出される前記位置関係に応じて、該撮影情報の表示領域を切り換える
ことを特徴とする電子カメラ。
【請求項１２】
請求項１１に記載の電子カメラにおいて、
少なくとも閃光装置を含む撮影補助部材
を備え、
前記表示手段は、
前記位置関係が対面撮影用の回転を示す場合、前記撮影補助部材によって隠されない表示領域に、前記撮影情報を表示する
ことを特徴とする電子カメラ。
【発明の詳細な説明】
【０００１】
【発明の属する技術分野】
本発明は、表示機能を有する電子カメラに関する。
【０００２】
【従来の技術】
電子カメラには、レンズ鏡筒とカメラ本体とを分離し、これらを相互に回転させることが可能なものがあり、一般に、カメラ本体には、被写体の構図の確認等に用いることができる動画（所謂、スルー画像）や、撮影時の補助的な指標である撮影情報を表示することが可能な液晶モニタが設けられている。
【０００３】
このような液晶モニタを備えた回転式の電子カメラには、レンズ鏡筒の撮影レンズの開口部側の一部をカメラ本体寄りに突出させて閃光装置を設けたものがあり、レンズ鏡筒を回転させて突出部分を被写体に向けることによって閃光装置を用いた撮影が実現されている。
【０００４】
【発明が解決しようとする課題】
しかし、前述したような突出部分を備えた電子カメラでは、レンズ鏡筒の撮影レンズの開口部と液晶モニタとを同一方向（撮影者の方向）に向けた状態で行われる対面撮影において、突出部分が液晶モニタの一部を隠してしまう。そのため、液晶モニタに表示されているスルー画像の一部や撮影情報の一部を、撮影者が見られないという問題が発生していた。
【０００５】
そこで、本発明は、表示する内容を撮影者に確実に見せられることができる電子カメラを提供することを目的とする。
【０００６】
【課題を解決するための手段】
請求項１に記載の電子カメラは、被写体像を撮像する撮像手段と、撮像中の被写体像を表示する表示手段とが相互に回転可能な電子カメラにおいて、前記撮像手段と前記表示手段との位置関係を検出する検出手段を備え、前記表示手段は、前記検出手段によって検出される前記位置関係に応じて、前記被写体像に対して縮小処理を行うことを特徴とする。
【０００７】
請求項２に記載の電子カメラは、請求項１に記載の電子カメラにおいて、前記表示手段は、前記位置関係が対面撮影用の回転を示す場合、前記縮小処理を行うことを特徴とする。
請求項３に記載の電子カメラは、請求項２に記載の電子カメラにおいて、少なくとも閃光装置を含む撮影補助部材を備え、前記表示手段は、対面撮影に際して前記撮影補助部材によって隠されない表示領域に、前記縮小処理を行った被写体像を表示することを特徴とする。
【０００８】
請求項４に記載の電子カメラは、請求項１ないし請求項３の何れか１項に記載の電子カメラにおいて、前記表示手段は、前記縮小処理に併せて反転処理を行うことを特徴とする。
請求項５に記載の電子カメラは、請求項１に記載の電子カメラにおいて、前記表示手段は、撮影時の補助的な指標である撮影情報を更に表示し、前記検出手段によって検出される前記位置関係に応じて、該撮影情報の表示領域を切り換えることを特徴とする。
【０００９】
請求項６に記載の電子カメラは、請求項５に記載の電子カメラにおいて、少なくとも閃光装置を含む撮影補助部材を備え、前記表示手段は、前記位置関係が対面撮影用の回転を示す場合、前記撮影補助部材によって隠されない表示領域に、前記撮影情報を表示することを特徴とする。
請求項７に記載の電子カメラは、被写体像を撮像する撮像手段と、撮像中の被写体像を表示する表示手段とが相互に回転可能な電子カメラにおいて、前記撮像手段と前記表示手段との位置関係を検出する検出手段を備え、前記表示手段は、前記検出手段によって検出される前記位置関係に応じて、前記被写体像の表示領域を縮小することを特徴とする。
【００１０】
請求項８に記載の電子カメラは、請求項７に記載の電子カメラにおいて、前記表示手段は、前記位置関係が対面撮影用の回転を示す場合、前記被写体像の表示領域を縮小することを特徴とする。
請求項９に記載の電子カメラは、請求項８に記載の電子カメラにおいて、少なくとも閃光装置を含む撮影補助部材を備え、前記表示手段は、対面撮影に際して前記撮影補助部材によって隠されない表示領域を、前記被写体像を表示するために縮小した表示領域とすることを特徴とする。
【００１１】
請求項１０に記載の電子カメラは、請求項７ないし請求項９の何れか１項に記載の電子カメラにおいて、前記表示手段は、前記被写体像の表示領域の縮小に併せて、該被写体像に対して反転処理を行うことを特徴とする。
【００１２】
請求項１１に記載の電子カメラは、請求項７に記載の電子カメラにおいて、前記表示手段は、撮影時の補助的な指標である撮影情報を更に表示し、前記検出手段によって検出される前記位置関係に応じて、該撮影情報の表示領域を切り換えることを特徴とする。
請求項１２に記載の電子カメラは、請求項１１に記載の電子カメラにおいて、少なくとも閃光装置を含む撮影補助部材を備え、前記表示手段は、前記位置関係が対面撮影用の回転を示す場合、前記撮影補助部材によって隠されない表示領域に、前記撮影情報を表示することを特徴とする。
【００１３】
【発明の実施の形態】
以下、図面に基づいて、本発明の実施形態について詳細を説明する。
図１は、本実施形態に対応する電子カメラの機能ブロック図である。
図１において、電子カメラ１は、レンズ鏡筒１０およびカメラ本体２０と、これらの間に設けられたレンズ回転検出部３０とから構成されており、レンズ鏡筒１０とカメラ本体２０とは、不図示の可動機構を介して相互に回転可能である。
【００１４】
レンズ鏡筒１０は、撮影レンズ１１と撮像部１２と閃光装置１３とを有している。撮影レンズ１１には、不図示のメカシャッター，絞り，ＡＦ用モータ等が内蔵され、撮像部１２は、撮影レンズ１１によって受光面上に結像された被写体像を撮像して得られる信号電荷を読み出してアナログの画像データを生成し、閃光装置１３は、カメラ本体２０寄りの突出部分に配置されている。なお、このようなレンズ鏡筒１０の突出部分には、閃光装置１３の他、セルフタイマ表示用のＬＥＤ、ＡＦ用の補助光、閃光装置用の調光センサ、光学ファインダの開口部等、如何なる撮影補助部材が設けられても良い。
【００１５】
カメラ本体２０は、ＣＰＵ２１と画像処理部２２と画像表示用メモリ２３と情報表示用メモリ２４と表示制御部２５と液晶モニタ２６とを有している。
ＣＰＵ２１は、バスを介して画像処理部２２と画像表示用メモリ２３と情報表示用メモリ２４と表示制御部２５とに接続されると共にレンズ鏡筒１０内の撮影レンズ１１と閃光装置１３とに接続され、これらの各部を制御する。また、ＣＰＵ２１は、レンズ回転検出部３０に接続され、レンズ回転検出部３０による検出結果（詳細は後述する）を取得する。さらに、ＣＰＵ２１は、電子カメラ１内の各部（不図示の部材を含む）から得られる情報に基づき、撮影時の補助的な指標である撮影情報を取得する。例えば、ＣＰＵ２１は、撮影情報として、絞り値、シャッタースピード、撮影可能な残りのコマ数、閃光装置の発光モード、バッテリー残量、ホワイトバランスのモード等を取得する。
【００１６】
画像処理部２２は、ＣＰＵ２１によって制御され、レンズ鏡筒１０内の撮像部１２によって生成されたアナログの画像データをディジタルの画像データに変換し、そのディジタルの画像データに各種の画像処理（サンプルフォールド、ホワイトバランス調整等）を行って所定の形式の画像データ（スルー画像用の画像データや記録用の画像データ）を得る。
【００１７】
なお、画像処理部２２では、不図示のレリーズスイッチが撮影者によって押下されるまで、スルー画像用の画像データが得られるが、このような画像データは、ＣＰＵ２１の指示に応じて、画像表示用メモリ２３に直接格納されたり、必要に応じてＣＰＵ２１で処理されてから画像表示用メモリ２３に格納される（詳細は後述する）。また、画像処理部２２では、不図示のレリーズスイッチが撮影者によって押下されると、記録用の画像データが得られるが、このような画像データは、不図示の記録制御部を介して不図示のメモリカード（カード状のリムーバブルメモリ）に記録される。
【００１８】
スルー画像用の画像データが画像表示用メモリ２３に格納される一方で、情報表示用メモリ２４には、ＣＰＵ２１によって取得された撮影情報に相当する画像データが格納される。
なお、画像表示用メモリ２３におけるスルー画像用の画像データの格納位置や、情報表示用メモリ２４における撮影情報用の画像データの格納位置は、ＣＰＵ２１によって管理される（詳細は後述する）。
【００１９】
表示制御部２５は、ＣＰＵ２１によって制御され、画像表示用メモリ２３に格納されているスルー画像用の画像データと、情報表示用メモリ２４に格納されている撮影情報用の画像データとを合成して、液晶モニタ２６に表示する。
レンズ回転検出部３０は、レンズ鏡筒１０とカメラ本体２０との位置関係を検出する。そして、レンズ回転検出部３０は、このような検出結果に基づき、レンズ鏡筒１０の撮影レンズ１１の開口部が、カメラ本体２０の上下方向に沿った状態（電子カメラ１の収納状態に相当する）よりも液晶モニタ２６側に回転された場合には、対面撮影用の回転が行われたと判断する。また、レンズ回転検出部３０は、撮影レンズ１１の開口部が、液晶モニタ２６の反対側に回転された場合には、通常撮影用の回転が行われたと判断する。
【００２０】
なお、本実施形態では説明を簡単にするため、レンズ回転検出部３０からは、対面撮影と通常撮影との何れの撮影用の回転が行われたか否かを示す情報（以下、「回転情報」と称する。）が、検出結果としてＣＰＵ２１に通知されるものとする。
図２は、対面撮影用の回転が行われた状態における電子カメラ１の外観図である。図２に示すように、対面撮影用の回転が行われた状態では、レンズ鏡筒１０の突出部分によって液晶モニタ２６の左側の中央部が隠されている。
【００２１】
なお、対面撮影は、レンズ鏡筒１０とカメラ本体２０とが直角を成す状態に限定されずに実現することが可能であるため、対面撮影の際には、図２に示すような液晶モニタ２６の左側の中央部に限らず、左側の全面がレンズ鏡筒１０の突出部分によって隠される可能性がある。以下、液晶モニタ２６において、レンズ鏡筒１０の突出部分によって隠される可能性がある領域を、「被隠領域」と称する。
【００２２】
図３は、本実施形態に対応する電子カメラ１の動作フローチャートであり、特に、スルー画像および撮影情報の表示に関わる動作を示している。
以下、電子カメラ１の動作を説明するが、本実施形態の特徴はスルー画像および撮影情報の表示に関わる電子カメラ１の動作にあり、他の動作については既存の電子カメラと同じである。そのため、以下では、図３を参照してスルー画像および撮影情報の表示に関わる電子カメラ１の動作のみを説明し、他の動作については説明を省略する。
【００２３】
まず、ＣＰＵ２１は、レンズ回転検出部３０から通知される回転情報に基づいて、レンズ鏡筒１０とカメラ本体２０との回転の状態を判定する（図３Ｓ１）。そして、対面撮影用の回転が行われている場合、ＣＰＵ２１は、画像処理部２２によって得られるスルー画像用の画像データに対して縮小処理および反転処理を行う（図３Ｓ２）。
【００２４】
ここで、縮小処理とは、スルー画像の全体を所定の大きさに縮小して液晶モニタ２６に表示できるような画像データを得るための処理であり、このような縮小処理は、例えば、単純間引き、単純補間、加重平均を伴う間引きや補間等によって実現することが可能である。
また、反転処理とは、撮影者に向けられた液晶モニタ２６に鏡像が表示できるような画像データを得るための処理であり、このような反転処理は、例えば、画像処理部２２によって得られるスルー画像用の画像データの上下を反転させることによって実現することが可能である。
【００２５】
なお、縮小処理および反転処理は、ＣＰＵ２１で行わずに画像処理部２２で行っても良い。
次に、ＣＰＵ２１は、縮小処理および反転処理済みのスルー画像用の画像データを、前述した被隠領域および撮影情報の表示領域に重ならないように、画像表示用メモリ２３の所定の位置に格納する（図３Ｓ３）。また、ＣＰＵ２１は、撮影情報に相当する画像データを、被隠領域およびスルー画像の表示領域に重ならないように、情報表示用メモリ２４の所定の位置に格納する（図３Ｓ４）。
【００２６】
図４は、対面撮影の際の画像表示用メモリ２３における画像データの格納位置の一例を示す図であり、図５は、対面撮影の際の情報表示用メモリ２４における画像データの格納位置の一例を示す図である。
ただし、図４および図５では、撮像部１２内の複数の画素が、ｍ行ｎ列のマトリックス状に配置されていると仮定し、各々の画素の位置に対応する画像データの格納位置を（ｉ，ｊ）（ただし、ｉ＝１，・・・，ｍ、ｊ＝１，・・・，ｎ）で表している。また、図４および図５では、前述した液晶モニタ２６の被隠領域が対面撮影の際に黒となるように、画像表示用メモリ２３および情報表示用メモリ２４の被隠領域に対応する格納位置に、黒色の画像データを格納する例を示している。なお、このような場合、撮影情報の画像データは、文字色が白で背景色が黒である画像データが格納されることが望ましい。
【００２７】
一方、通常撮影用の回転が行われている場合、ＣＰＵ２１は、画像処理部２２によって得られるスルー画像用の画像データを、前述した被隠領域および撮影情報の表示領域を考慮せずに画像表示用メモリ２３の所定の位置に直接格納する（図３Ｓ５）。すなわち、スルー画像用の画像データは、前述した縮小処理および反転処理が施されずに画像表示用メモリ２３に格納されることになる。また、ＣＰＵ２１は、撮影情報に相当する画像データを、被隠領域およびスルー画像の表示領域を考慮せずに情報表示用メモリ２４の所定の位置に格納する（図３Ｓ６）。
【００２８】
次に、ＣＰＵ２１は、表示制御部２５を介し、画像表示用メモリ２３に格納されているスルー画像用の画像データと、情報表示用メモリ２４に格納されている撮影情報用の画像データとを合成して、液晶モニタ２６に表示する（図３Ｓ７）。
その結果、液晶モニタ２６では、対面撮影の際には、図６のような表示が行われ、通常撮影の際には、図７のような表示が行われることになる。
【００２９】
すなわち、対面撮影の際には、図６に示すように、縮小処理および反転処理されたスルー画像と撮影情報とが、レンズ鏡筒１０の突出部分に隠されず、かつ、互いに重なることなく表示されることになる。ただし、図６では、対面撮影の際の撮影情報の文字色が白で背景色が黒である場合の例を示している。
【００３０】
一方、通常撮影の際には、図７に示すように、撮影情報が重ねられたスルー画像が、液晶モニタ２６の全面に表示されることになる。
以上説明したように、本実施形態では、対面撮影用の回転が行われている場合、スルー画像用の画像データに対して縮小処理および反転処理を施し、これらの処理済みの画像データの画像表示用メモリ２３における格納位置を限定することによって、液晶モニタ２６におけるスルー画像の表示領域を縮小することができる。特に、本実施形態では、レンズ鏡筒１０の突出部分に隠されない表示領域に、縮小および反転されたスルー画像が表示されることになる。
【００３１】
また、本実施形態では、対面撮影用の回転や通常撮影用の回転のように、レンズ鏡筒１０とカメラ本体２０との位置関係の違いに応じて、液晶モニタ２６における撮影情報の表示領域を切り換えることができる。特に、本実施形態では、対面撮影用の回転が行われている場合、レンズ鏡筒１０の突出部分に隠されず、かつ、スルー画像に重ならない表示領域に、撮影情報が表示されることになる。
【００３２】
したがって、本実施形態の電子カメラ１によれば、対面撮影の際にレンズ鏡筒１０の突出部分によって液晶モニタ２６の一部が隠されてしまう場合であっても、液晶モニタ２６に表示する内容（具体的には、スルー画像および撮影情報）を撮影者に確実に見せることができる。
なお、本実施形態では、スルー画像用の画像データに対する縮小処理として、スルー画像の全体を縮小する処理が行われるが、例えば、画像処理部２２によって得られるスルー画像のうち、予め決められた位置（例えば、画像の中心位置）を基準とする所定の大きさの部分画像を抽出することによって、縮小処理を実現することも可能である。すなわち、対面撮影の際には、液晶モニタ２６におけるレンズ鏡筒１０の突出部分に隠されない表示領域に、スルー画像内の部分画像を表示しても良い。
【００３３】
また、本実施形態では、通常撮影の際のスルー画像は縮小されることなく撮影情報が重ねられて液晶モニタ２６に表示されるが、スルー画像用の画像データに対して対面撮影時よりも縮小率の低い縮小処理を行って、図８のように、スルー画像の周辺領域に撮影情報を表示するようにしても良い。
【００３４】
【発明の効果】
以上説明したように、本発明の電子カメラによれば、表示する内容を撮影者に確実に見せることができる。
【図面の簡単な説明】
【図１】本実施形態に対応する電子カメラの機能ブロック図である。
【図２】対面撮影用の回転が行われた状態における電子カメラの外観図である。
【図３】本実施形態に対応する電子カメラの動作フローチャートである。
【図４】対面撮影の際の画像表示用メモリにおける画像データの格納位置の一例を示す図である。
【図５】対面撮影の際の情報表示用メモリにおける画像データの格納位置の一例を示す図である。
【図６】対面撮影の際の液晶モニタの表示例を示す図である。
【図７】通常撮影の際の液晶モニタの表示例を示す図である。
【図８】通常撮影の際の液晶モニタの他の表示例を示す図である。
【符号の説明】
１　電子カメラ
１０　レンズ鏡筒
１１　撮影レンズ
１２　撮像部
１３　閃光装置
２０　カメラ本体
２１　ＣＰＵ
２２　画像処理部
２３　画像表示用メモリ
２４　情報表示用メモリ
２５　表示制御部
２６　液晶モニタ
３０　レンズ回転検出部
【図１】
2004080519.tif 000003
【図２】
2004080519.tif 000004
【図３】
2004080519.tif 000005
【図４】
2004080519.tif 000006
【図５】
2004080519.tif 000007
【図６】
2004080519.tif 000008
【図７】
2004080519.tif 000009
【図８】
2004080519.tif 000010